(57)【要約】
【課題】　貼り付け自在のブラジャー用パッドの提供。
【解決手段】　ブラジャー用パッドのパッド底面に粘着帯が設けられ、該粘着帯がブラジャーのカップの繊維と面ファスナー効果を形成し、これによりブラジャーのカップの内側の任意の位置に貼り付けることができるものとされ、使用者が胸部を寄せたり上げたりしたい部分に合わせてブラジャーのカップの内側に自由に貼り付けることができ、実用性と多重の機能性を具備するものとされた。
【選択図】　　　　図１
0003100470.tif 000002
【実用新案登録請求の範囲】
【請求項１】
　ブラジャーのパッドの底面に粘着帯が設けられ、該粘着帯がブラジャーのカップの内側の繊維と面ファスナー機能を形成し、これによりブラジャーのカップの内側の任意の位置に貼り付け自在とされて、バストを寄せたい或いは上げたい部分に合わせて装着して美しいバストラインを形成することができることを特徴とする、貼り付け自在のブラジャー用パッド。
【請求項２】
　請求項１記載の貼り付け自在のブラジャー用パッドにおいて、パッドがエアパッド、液体充填式パッド、発泡材パッド、スポンジパッドのいずれかとされたことを特徴とする、貼り付け自在のブラジャー用パッド。
【請求項３】
　請求項１記載の貼り付け自在のブラジャー用パッドにおいて、パッドが異なるサイズとされうることを特徴とする、貼り付け自在のブラジャー用パッド。
【考案の詳細な説明】
【技術分野】
【０００１】
　本考案は一種の貼り付け自在のブラジャー用パッドに係り、自由に貼り付けられるブラジャー用パッドの設計により、使用者が胸部を上げたり寄せたりしたい部分により自由にブラジャーのカップの内側に貼り付けることができ、美しいバスト形状を形成できるブラジャー用パッドに関する。
【背景技術】
【０００２】
　凹凸のある体型は女性の目標であり、美しいバストラインを得るために、ブラジャーは欠かせない。ブラジャーは遮蔽機能だけでなく、バストを寄せて上げる効果がある。
【０００３】
　バストラインを整える機能を達成するため、ブラジャーにはパッドが組み合わされる。一般にパッドはブラジャーの内側に設けられたポケット内に設置されて、バストを寄せる効果がある。別にパッドが直接ブラジャーのカップ内側に縫い付けられた設計もあり、バストを豊かに見せる効果を達成する。しかし、固定式のパッドはブラジャーのカップ内の固定位置に取り付けられるため、バストを寄せて上げ、及びバストを豊かに見せる機能を共に達成することはできず、またポケットに収容されたパッドはポケットから脱出しやすく、完全にパッドの位置を固定できない。このため多くの数量のブラジャーを購入して着用上の要求に符合させなければならず、実用性が低く、ブラジャー購入費用が増した。
【考案の開示】
【考案が解決しようとする課題】
【０００４】
　本考案の主要な目的は、貼り付け自在のブラジャー用パッドを提供することにある。それは、貼り付け自在のブラジャー用パッドの設計により、胸部を寄せたい或いは上げたい部分に合わせて使用者が随意にブラジャーのカップ内側にパッドを貼り付けることができ、美しいバストラインをメイクアップし、実用性と多重の機能を達成できるものとする。
【課題を解決するための手段】
【０００５】
　請求項１の考案は、ブラジャーのパッドの底面に粘着帯が設けられ、該粘着帯がブラジャーのカップの内側の繊維と面ファスナー機能を形成し、これによりブラジャーのカップの内側の任意の位置に貼り付け自在とされて、バストを寄せたい或いは上げたい部分に合わせて装着して美しいバストラインを形成することができることを特徴とする、貼り付け自在のブラジャー用パッドとしている。
　請求項２の考案は、請求項１記載の貼り付け自在のブラジャー用パッドにおいて、パッドがエアパッド、液体充填式パッド、発泡材パッド、スポンジパッドのいずれかとされたことを特徴とする、貼り付け自在のブラジャー用パッドとしている。
　請求項３の考案は、請求項１記載の貼り付け自在のブラジャー用パッドにおいて、パッドが異なるサイズとされうることを特徴とする、貼り付け自在のブラジャー用パッドとしている。
【考案の効果】
【０００６】
　総合すると、本考案は以下のような優れた効果を有している。
　１．本考案のパッドはエアパッド、液体パッド、発泡材パッド、スポンジパッド等多種類及び各種サイズに形成することができ、これにより異なるバスト形状及び各種の訴求に対応することができる。
　２．本考案のパッドは、粘着帯を具えてブラジャーのカップの内側の繊維と面ファスナー効果を発生するため、パッドをカップ内側の任意の位置に自在に貼り付けることができ、ゆえに、バストを寄せたい、或いは上げたい、或いは大きく見せたい部分に合わせて装着できる。
　３．本考案のパッドは、粘着帯によりブラジャーのカップ内側に自在に貼り付け可能であるため、周知のカップのようにブラジャーのカップ内側に縫い付ける必要がなく、また、カップのポケットに設置する方式によりパッド位置がずれる欠点がない。
【０００７】
　本考案は使用効果が極めて良好で実用性と進歩性を具えた貼り付け自在のブラジャー用パッドを提供しており、その全体の組合せと空間形態は従来にはないものである。なお、以下の実施例は本考案の実施範囲を限定するものではなく、本考案に基づきなしうる細部の修飾或いは改変は、いずれも本考案の請求範囲に属するものとする。
【考案を実施するための最良の形態】
【０００８】
　本考案の貼り付け自在のブラジャー用パッドは、パッドの底面に粘着帯が設けられ、粘着帯を具えたブラジャー用パッドがブラジャーのカップ内側の任意の位置に貼り付け可能とされ、簡単にバストを寄せる或いは上げる効果を達成でき、美しく立体的なバストラインを形成することができる。
【実施例１】
【０００９】
　図１、２は本考案の貼り付け自在のブラジャー用パッドを示す。それは、パッド１０の底面１１に粘着帯１２が設けられてなる。該パッド１０はエアパッド、ウォーターパッド、発泡材パッド、スポンジパッド等多種の様式及び各種の異なるサイズのものとされる。
【００１０】
　図３に示されるように、粘着帯１２を具えたパッド１０は、ブラジャーのカップ２０の繊維質と面ファスナー効果を形成可能であり、このため、パッド１０が随意にカップ２０の内側の任意の位置に貼り付け可能とされ、ゆえにバスト３０を寄せたり、大きく見せたり或いはアップさせたい部分に合わせて使用者が任意に貼り付けることができる。
【００１１】
　図４から図７は本考案の粘着帯１２を具えたパッド１０をブラジャーのカップ２０の任意に貼り付けた状態を示す。本考案は貼り付ける位置により、以下のような機能を達成できる。粘着帯１２を具えたパッド１０をカップ２０の内側底部に貼り付けると、全体のバスト３０を持ち上げ、バストを大きく見せる効果を得られる。さらに、粘着帯１２を具えたパッド１０をカップ２０の内側の側縁位置に斜めに取り付けると、バスト３０を寄せてバストを大きく見せる効果が得られる。また、バストの左右の大きさが異なったり、外側に拡張する現象がある場合には、単独で粘着帯１２を具えたパッド１０を片方のブラジャーのカップ２０内に使用し、バストを補正し、バスト形状を立体的且つ左右で均一とすることができる。このほかも実際の各種のバスト形状の訴求に対応でき、並びにバストを寄せて上げ、大きく見せる多重の機能を達成できる。
【図面の簡単な説明】
【００１２】
【図１】本考案の立体分解図である。
【図２】本考案の別の構造の立体表示図である。
【図３】本考案とブラジャーのカップの貼り合わせ表示図である。
【図４】本考案とブラジャーのカップの組合せ正面図である。
【図５】本考案の実施例図である。
【図６】本考案とブラジャーのカップの別の組合せ正面図である。
【図７】本考案の別の実施例図である。
【符号の説明】
【００１３】
１０　パッド　　　　　　１１　底面
１２　粘着帯　　　　　　２０　カップ
３０　バスト
【図１】
0003100470.tif 000003
【図２】
0003100470.tif 000004
【図３】
0003100470.tif 000005
【図４】
0003100470.tif 000006
【図５】
0003100470.tif 000007
【図６】
0003100470.tif 000008
【図７】
0003100470.tif 000009